(57)【特許請求の範囲】
【請求項１】
互いに対向する第１及び第２主面、前記第１主面の連続した３辺と該３辺に対向する前記第２主面の３辺を、それぞれ互いに接続する３側面を有し、前記第１主面に固定され、前記第１主面から前記第２主面とは反対方向に突出する凸部を有する箱状の収納部と、  該収納部から着脱自在の背面ベースであって、前記収納部との結合時に前記第１主面に対向する結合面及び該結合面に対向する背当面を有する板状をなし、前記背当面の上部から下部にかけて架橋する一対のショルダーストラップを有し、前記凸部に対応する位置に、前記結合面から前記背当面にかけて貫通する、前記凸部の側面構造に対応した内壁構造の挿通孔を有する背面ベースと、  を備え、 前記凸部が前記挿通孔へ、前記側面構造が前記内壁構造に接するように貫通及び離脱することにより、前記収納部と前記背面ベースとが着脱自在であることを特徴とする背嚢。
【請求項２】
互いに対向する第１及び第２主面、前記第１主面の連続した３辺と該３辺に対向する前記第２主面の３辺を、それぞれ互いに接続する３側面を有し、前記第１主面を貫通する挿通孔を有する箱状の収納部と、  該収納部から着脱自在の背面ベースであって、前記収納部との結合時に前記第１主面に対向する結合面及び該結合面に対向する背当面を有する板状をなし、前記背当面の上部から下部にかけて架橋する一対のショルダーストラップを有し、前記結合面の前記挿通孔に対応する位置に固定され、前記挿通孔の内壁構造に対応した側面構造で、前記結合面から前記背当面の反対方向に突出する凸部を有する背面ベースと、  を備え、 前記凸部が前記挿通孔へ、前記側面構造が前記内壁構造に接するように貫通及び離脱することにより、前記収納部と前記背面ベースとが着脱自在であることを特徴とする背嚢。
【請求項３】
前記凸部が、前記第１主面側から見た場合の横幅及び縦幅のうち少なくとも一方が前記凸部より大きい板状の台座を介して前記第１主面に固定され、 前記結合面に、前記台座の厚さと前記台座の外周面の形状に対応した段差構造の台座収納凹部が設けられ、  前記凸部を前記挿通孔に挿入した際に、前記台座が前記台座収納凹部に嵌め込まれることで、前記背面ベースに対して前記収納部が回転することを抑制することを特徴とする請求項１に記載の背嚢。
【請求項４】
前記凸部が、前記結合面側から見た場合の横幅及び縦幅のうち少なくとも一方が前記凸部より大きい板状の台座を介して前記結合面に固定され、 前記第１主面に、前記台座の厚さと前記台座の外周面の形状に対応した段差構造の台座収納凹部が設けられ、  前記凸部を前記挿通孔に挿入した際に、前記台座が前記台座収納凹部に嵌め込まれることで、前記背面ベースに対して前記収納部が回転することを抑制することを特徴とする請求項２に記載の背嚢。
【請求項５】
前記凸部の先端に固定手段を更に備え、  前記凸部が前記挿通孔を貫通した状態において、前記固定手段により前記収納部が前記背面ベースへ固定可能となり、  前記固定手段による固定を解除すると、前記凸部を前記挿通孔から離脱可能にして、前記収納部の前記背面ベースからの分離を許容することを特徴とする請求項１〜４のいずれか１項に記載の背嚢。
【請求項６】
前記固定手段が、前記挿通孔を通過不可能な大きさであり、前記凸部の先端と脱着自在であり、  前記固定手段を前記凸部から分離させ、前記凸部を前記挿通孔に挿入してから前記固定手段を前記凸部へ装着することで、前記背面ベースへ前記収納部を固定できることを特徴とする請求項５に記載の背嚢。
【請求項７】
前記固定手段が、前記挿通孔を通過可能な大きさであり、前記凸部の先端に脱離不能に固定され、前記凸部が設けられた面と平行な回転面において回転自在であり、前記固定手段を前記挿通孔を通過させてから回転させて、前記凸部を前記挿通孔から離脱不能とすることで、前記背面ベースへ前記収納部を固定できることを特徴とする請求項５に記載の背嚢。
【請求項８】
前記凸部及び前記挿通孔が、それぞれ複数個設けられていることを特徴とする請求項１〜７のいずれか１項に記載の背嚢。
【請求項９】
複数個の収納部と、該複数個の収納部と着脱自在の背面ベースからなる背嚢セットであって、  前記複数個の収納部のそれぞれは、互いに対向する第１及び第２主面、前記第１主面の連続した３辺と該３辺に対向する前記第２主面の３辺を、それぞれ互いに接続する３側面を有し、前記第１主面に固定され、前記第１主面から前記第２主面とは反対方向に突出する凸部を有する箱状の構造をなし、  前記背面ベースは、前記複数個の収納部のいずれかとの結合時に前記第１主面に対向する結合面及び該結合面に対向する背当面を有する板状をなし、前記背当面の上部から下部にかけて架橋する一対のショルダーストラップを有し、前記凸部に対応する位置に、前記結合面から前記背当面にかけて貫通する、前記凸部の側面構造に対応した内壁構造の挿通孔を有し、 前記凸部が前記挿通孔へ、前記側面構造が前記内壁構造に接するように貫通及び離脱することにより、前記収納部と前記背面ベースとが着脱自在であり、前記複数個の収納部と前記背面ベースの組み合わせを任意に選択可能にしたことを特徴とする背嚢セット。
【請求項１０】
複数個の収納部と、該複数個の収納部と着脱自在の背面ベースからなる背嚢セットであって、  前記複数個の収納部のそれぞれは、互いに対向する第１及び第２主面、前記第１主面の連続した３辺と該３辺に対向する前記第２主面の３辺を、それぞれ互いに接続する３側面を有し、前記第１主面を貫通する挿通孔を有する箱状の構造をなし、  前記背面ベースは、前記複数個の収納部のいずれかとの結合時に前記第１主面に対向する結合面及び該結合面に対向する背当面を有する板状をなし、前記背当面の上部から下部にかけて架橋する一対のショルダーストラップを有し、前記結合面の前記挿通孔に対応する位置に固定され、前記挿通孔の内壁構造に対応した側面構造で、前記結合面から前記背当面の反対方向に突出する凸部を有し、 前記凸部が前記挿通孔へ、前記側面構造が前記内壁構造に接するように貫通及び離脱することにより、前記収納部と前記背面ベースとが着脱自在であり、前記複数個の収納部と前記背面ベースの組み合わせを任意に選択可能にしたことを特徴とする背嚢セット。
【請求項１１】
複数個の収納部と、該複数個の収納部のいずれとも着脱自在の複数個の背面ベースからなる背嚢セットであって、  前記複数個の収納部のそれぞれは、互いに対向する第１及び第２主面、前記第１主面の連続した３辺と該３辺に対向する前記第２主面の３辺を、それぞれ互いに接続する３側面を有し、前記第１主面に固定され、前記第１主面から前記第２主面とは反対方向に突出する凸部を有する箱状の構造をなし、  前記複数個の背面ベースのそれぞれは、前記複数個の収納部のいずれかとの結合時に前記第１主面に対向する結合面及び該結合面に対向する背当面を有する板状をなし、前記背当面の上部から下部にかけて架橋する一対のショルダーストラップを有し、前記凸部に対応する位置に、前記結合面から前記背当面にかけて貫通する、前記凸部の側面構造に対応した内壁構造の挿通孔を有し、 前記凸部が前記挿通孔へ、前記側面構造が前記内壁構造に接するように貫通及び離脱することにより、前記収納部と前記背面ベースとが着脱自在であり、前記複数個の収納部と前記複数個の背面ベースの組み合わせを任意に選択可能にしたことを特徴とする背嚢セット。
【請求項１２】
複数個の収納部と、該複数個の収納部のいずれとも着脱自在の複数個の背面ベースからなる背嚢セットであって、  前記複数個の収納部のそれぞれは、互いに対向する第１及び第２主面、前記第１主面の連続した３辺と該３辺に対向する前記第２主面の３辺を、それぞれ互いに接続する３側面を有し、前記第１主面を貫通する挿通孔を有する箱状の構造をなし、  前記複数個の背面ベースのそれぞれは、前記複数個の収納部のいずれかとの結合時に前記第１主面に対向する結合面及び該結合面に対向する背当面を有する板状をなし、前記背当面の上部から下部にかけて架橋する一対のショルダーストラップを有し、前記結合面の前記挿通孔に対応する位置に固定され、前記挿通孔の内壁構造に対応した側面構造で、前記結合面から前記背当面の反対方向に突出する凸部を有し、 前記凸部が前記挿通孔へ、前記側面構造が前記内壁構造に接するように貫通及び離脱することにより、前記収納部と前記背面ベースとが着脱自在であり、前記複数個の収納部と前記複数個の背面ベースの組み合わせを任意に選択可能にしたことを特徴とする背嚢セット。
【請求項１３】
前記凸部の先端に固定手段を更に備え、  前記凸部が前記挿通孔を貫通した状態において、前記固定手段により前記収納部が前記背面ベースへ固定可能となり、  前記固定手段による固定を解除すると、前記凸部を前記挿通孔から離脱可能にして、前記収納部の前記背面ベースからの分離を許容することを特徴とする請求項９〜１２のいずれか１項に記載の背嚢セット。
【発明の詳細な説明】
【技術分野】
【０００１】
本発明は、背嚢、複数個の収納部と背面ベースの組み合わせが任意に選択可能な背嚢セット及び複数個の収納部と複数個の背面ベースの組み合わせが任意に選択可能な背嚢セットに関する。
【背景技術】
【０００２】
ランドセル、リュックサック、デイパック、アタックザック、サブザック、キスリング等の背嚢は、本体はナイロン又は皮や合皮などによって形成され、物品を容易に取り出しやすくしたものでフレームがない製品が多い。そして背嚢本体に付属したショルダーストラップに肩を通して背負う。【０００３】
従来、この種の背嚢としては、特許文献１で開示される荷物の出し入れが容易に出来る構造が知られている。特許文献１で開示されている背嚢は、左右一対の肩掛けベルトにより背中に背負うことができる部分と物品を収納可能な部分に分離することで、物品を取り出す際にベルトに付随するロープを操作し、収納部分を支持部本体の下部を支点として使用者の都合のよい左右どちらかにスライドさせ、物品を容易に取り出しやすくしたものである。【０００４】
しかしながら、従来の背嚢は、書類等を収納する背嚢本体とショルダーストラップとが一体化しており、用途や好みに合わせて色や形、大きさを変えたい場合、別の背嚢に買い換えなければならないという問題がある。
【先行技術文献】
【特許文献】
【０００５】
【特許文献１】特開２０１７―１９２４７３
【発明の概要】
【発明が解決しようとする課題】
【０００６】
本発明は、上述した従来技術の問題点を除くためになされたものであって、その目的とするところは、用途や好みに合わせて希望の色や形、大きさの収納部へ容易に交換可能な背嚢、複数個の収納部と背面ベースの組み合わせを任意に選択することにより用途や好みに合わせて希望の色や形、大きさの選択が可能な背嚢セット及び複数個の収納部と複数個の背面ベースの組み合わせを任意に選択可能な背嚢セットを提供することにある。
【課題を解決するための手段】
【０００７】
上記目的を達成するために、本発明の第１の態様は、（ａ）互いに対向する第１及び第２主面、第１主面の連続した３辺と対向する第２主面の３辺を、それぞれ互いに接続する３側面を有する箱状の収納部と、（ｂ）収納部から着脱自在の背面ベースであって、収納部との結合時に第１主面に対向する結合面及び結合面に対向する背当面を有する板状をなし、背当面の上部から下部にかけて架橋する一対のショルダーストラップを有する背面ベースとを備える背嚢である。本発明の第１の態様に係る背嚢は、（ｃ）第１主面及び結合面の一方に凸部、他方の凸部に対応する位置に、凸部に対応した構造の挿通孔が設けられ、（ｄ）凸部の挿通孔への貫通及び離脱により、収納部と背面ベースとが着脱自在であることを特徴とする。【０００８】
本発明の第２の態様は、複数個の収納部と、複数個の収納部と着脱自在の背面ベースからなる背嚢セットであって、（ａ）複数個の収納部のそれぞれは、互いに対向する第１及び第２主面、第１主面の連続した３辺と、この３辺に対向する第２主面の３辺を、それぞれ互いに接続する３側面を有する箱状の構造をなし、（ｂ）背面ベースは、複数個の収納部のいずれかとの結合時に第１主面に対向する結合面及び結合面に対向する背当面を有する板状をなす。本発明の第２の態様に係る背嚢セットは、（ｃ）背当面の上部から下部にかけて架橋する一対のショルダーストラップを有し、（ｄ）第１主面及び結合面の一方に凸部、他方の凸部に対応する位置に、凸部に対応した構造の挿通孔が設けられ、（ｅ）凸部の挿通孔への貫通及び離脱により、収納部と背面ベースとが着脱自在であり、複数個の収納部と背面ベースの組み合わせを任意に選択可能にしたことを特徴とする。【０００９】
本発明の第３の態様は、複数個の収納部と、複数個の収納部のいずれとも着脱自在の複数個の背面ベースからなる背嚢セットであって、（ａ）複数個の収納部のそれぞれは、互いに対向する第１及び第２主面、第１主面の連続した３辺と、この３辺に対向する第２主面の３辺を、それぞれ互いに接続する３側面を有する箱状の構造をなし、（ｂ）複数個の背面ベースのそれぞれは、複数個の収納部のいずれかとの結合時に第１主面に対向する結合面及び結合面に対向する背当面を有する板状をなす。本発明の第３の態様に係る背嚢セットは、（ｃ）背当面の上部から下部にかけて架橋する一対のショルダーストラップを有し、（ｄ）第１主面及び結合面の一方に凸部、他方の凸部に対応する位置に、凸部に対応した構造の挿通孔が設けられ、（ｅ）凸部の挿通孔への貫通及び離脱により、収納部と背面ベースとが着脱自在であり、複数個の収納部と複数個の背面ベースの組み合わせを任意に選択可能にしたことを特徴とする。
【発明の効果】
【００１０】
本発明によれば、用途や好みに合わせて希望の色や形、大きさの収納部へ容易に交換可能な背嚢、複数個の収納部と背面ベースの組み合わせを任意に選択することにより用途や好みに合わせて希望の色や形、大きさの選択が可能な背嚢セット及び複数個の収納部と複数個の背面ベースの組み合わせを任意に選択可能な背嚢セットを提供することができる。
【図面の簡単な説明】
【００１１】
【図１】第１実施形態に係る背嚢を、収納部と背面ベースとに分離した状態を示す斜視図である。
【図２】図２（ａ）は第１実施形態に係る背面ベースを結合面方向から見た図であり、図２（ｂ）は第１実施形態に係る背面ベースを背当面方向から見た図である。
【図３】第１実施形態に係る背嚢の斜視図である。
【図４】図３のＡ−Ａ方向から見た断面図である。
【図５】第１実施形態の第１変形例に係る背嚢を、収納部と背面ベースとに分離した状態を示す斜視図である。
【図６】第１実施形態の第１変形例に係る背嚢の斜視図である。
【図７】第１実施形態の第２変形例に係る背嚢を、収納部と背面ベースとに分離した状態を示す斜視図である。
【図８】第１実施形態の第２変形例に係る背嚢の斜視図である。
【図９】第１実施形態の第３変形例に係る背嚢を、収納部と背面ベースとに分離した状態を示す斜視図である。
【図１０】第１実施形態の第３変形例に係る背嚢の斜視図である。
【図１１】第１実施形態の第４変形例に係る背嚢を、収納部と背面ベースとに分離した状態を示す斜視図である。
【図１２】第１実施形態の第４変形例に係る背面ベースを、結合面方向から見た図である。
【図１３】第１実施形態の第４変形例に係る背嚢の斜視図である。
【図１４】第２実施形態に係る背嚢を、収納部と背面ベースとに分離した状態を示す斜視図である。
【図１５】第２実施形態に係る背嚢の斜視図である。
【図１６】図１のＡ−Ａ方向から見た第１実施形態に係る背面ベースの断面図である。
【図１７】第１実施形態のその他の変形例に係る背面ベースの断面図である。
【図１８】第１実施形態の第４変形例に係る収納部の右側面図である。
【図１９】図１１のＡ−Ａ方向から見た第１実施形態の第４変形例に係る背面ベースの断面図である。
【発明を実施するための形態】
【００１２】
以下、添付図面を参照して、本発明の第１及び第２実施形態、複数の変形例に係る背嚢を詳細に説明する。以下の図面の記載において、同一又は類似の部分には同一又は類似の符号を付している。ただし、図面は模式的なものであり、各部の寸法の比率等は現実のものとは異なることに留意するべきである。
【００１３】
したがって、具体的な収納部や背面ベース、ショルダーストラップ等の寸法は以下の説明を参酌して判断すべきものである。又、図面相互間においても互いの寸法の関係や比率が異なる部分が含まれていることはもちろんである。又、以下に示す第１及び第２実施形態、複数の変形例に係る背嚢は、本発明の技術的思想を具体化するための物品の構造や方法を例示するものであって、本発明の技術的思想は、構成部品の材質、形状、構造、配置等を下記のものに特定するものではない。本発明の技術的思想は、特許請求の範囲に記載された技術的範囲内において、種々の変更を加えることができる。
【００１４】
（第１実施形態）
図１に示すように、本発明の第１実施形態に係る背嚢１は、箱状の収納部３と、この収納部３を着脱自在に支える背面ベース５を備える。収納部３は、互いに対向する第１及び第２主面と、第１主面の連続した３辺と、この３辺に対向する第２主面の３辺を、それぞれ互いに接続する３側面とで、箱状の形状をなしている。背面ベース５は板状をなし、第１主面に対向する結合面及びこの結合面に平行に対向する背当面（背裏面）を有する。背面ベース５の背当面の上部と下部の間を一対のショルダーストラップ（５１ａ、５１ｂ）が架橋する。例えば、一対のショルダーストラップ（５１ａ、５１ｂ）は背面ベース５の背当面の上部の中央付近側と、背当面の下部の両側を接続するように、上部から下部に向かって末広がりに架橋することができる。或いは、背面ベース５の上部から下部に向かって一対のショルダーストラップ（５１ａ、５１ｂ）が、Ｘ字状に若しくはほぼ並行に架橋してもよい。
【００１５】
具体的には図１に示す第１ショルダーストラップ５１ａを、背面ベース５の上部に接続される第１肩ベルト５６ａ、背面ベース５の下部に接続される第１下ベルト５７ａ及び第１留め具５８ａとで構成してもよい。第１留め具５８ａは第１肩ベルト５６ａと第１下ベルト５７ａを互いに接続する。同様に第２ショルダーストラップ５１ｂを、背面ベース５の上部に接続される第２肩ベルト５６ｂ、背面ベース５の下部に接続される第２下ベルト５７ｂ及び第２留め具５８ｂとで構成できる。第２留め具５８ｂは、第２肩ベルト５６ｂと第２下ベルト５７ｂを互いに接続する。留め具５８ａ，５８ｂを用いる場合は、留め具５８ａ，５８ｂによって肩ベルト５６ａ，５６ｂと下ベルト５７ａ，５７ｂの少なくとも一方の長さが調整できるようにしてもよい。下ベルト５７ａ，５７ｂと背面ベース５の下部との接続箇所には、ダルマカン等の丸い形をした金具を設け、下ベルト５７ａ，５７ｂが自由に動くようにしてもよい。
【００１６】
背面ベース５の上部と第１肩ベルト５６ａの接続箇所及び背面ベース５の上部と第２肩ベルト５６ｂの接続箇所には種々の背カンを設けてもよい。その他、第１肩ベルト５６ａ及び第２肩ベルト５６ｂの背面ベース５の上部への接続方法は、背面ベース５に縫い付ける方法でもよいし、接着剤等で接着する方法等も採用可能である。収納部３において、第１主面は、図１において台座３２が取り付けられている面を指し、背面ベース５の結合面に対向する面である。第１主面は、図１においては矩形であり、図１において図示を省略した第２主面とは同一形状である。図１においては、結合面は背面ベース５の裏側となり図示されていないが、図４に収納部３の第１主面に対向する結合面と、この結合面に平行に対向する背当面の断面構造が図示されている。図１に図示された背当面は、挿通孔５４が貫通した紙面手前側の主面として図示されている。背当面には、図１においては背当てパット５３が位置している。
【００１７】
収納部３は、背嚢１が携行対象としている物品を収納する本体部分であり、第１及び第２主面の他に４つの側面を有する。４つの側面の内の一面は収納部３の底部（底面）をなし、４つの側面の内の底部に対向する側面は収納部３の蓋となる上面部を構成している。厳密には、図１から分かるように、収納部３の蓋となる上面部は、底部に対向する側面を蓋要部とし、この蓋要部となる側面に連続する２つの側面のそれぞれの一部と、第２主面の上部側の一部で構成されている。したがって、背嚢１を「本体部」と「蓋」に分けて捉えると、「本体部」は、第１主面の連続した３辺の少なくとも一部と、この３辺の少なくとも一部に対向する第２主面の３辺の一部をそれぞれ互いに接続する面が３側面の一部であり、第１主面の下部側の一部と第２主面と併せて箱状の形状を構成していることになる。
【００１８】
しかしながら、図１に示すような「本体部」と「蓋」との分割の仕方は背嚢における一例であり、背嚢１を構成する「本体部」と「蓋」との関係は多様であることに留意すべきである。例えば、背嚢１の底部側に蓋を設けてもよく、背嚢１の上部側に第１の蓋、底部側に第２の蓋を設けた構造でもよい。更に、鉛直方向に平行な側面に蓋を設けてもよく、第２主面に蓋を設けてもよい。
【００１９】
図１の例示構造に戻って説明すると、収納部３の第１主面の中央上側には、収納部３と背面ベース５とを結合するための円柱状の凸部（第１の凸部）６を有する矩形の台座３２が設けられている。凸部６の位置及び大きさに対応して、背面ベース５の結合面には凸部６を挿入する挿通孔（第１の挿通孔）５４が設けられている。図１６に示すように、挿通孔５４は、結合面から背当面にまで背面ベース５を貫通する孔である。挿通孔５４は、背当面側の段差部で定義される内径よりも結合面側に向かって背面ベース５を貫通する箇所の内径の方が小さい。よって、図２（ｂ）及び図１６に示すように背当面側から見ると、背当面側の浅い位置において内側に段差がついた孔である。第１実施形態に係る背嚢１には、凸部６を背面ベース５に固定する「固定手段（第１の固定手段）」としての固定蓋（第１の固定蓋）５２が、図４に示すように設けられている。固定蓋５２は、凸部６の先端部分に脱着自在に接続することができる円形のキャップ状（帽子状）であり、帽子の外周は挿通孔５４の結合面側の内径よりも大きな外径であるので固定蓋５２は挿通孔５４を通過できない。固定蓋５２の帽子の外周の外径は、挿通孔５４の背当面側の浅い位置に設けられた段差の内径に嵌まるような、同程度の径であることが好ましい。固定蓋５２を構成する帽子のサイドクラウン部は凸部６の先端部を円筒状に覆うように結合して、凸部６を有する収納部３を背当面側から背面ベース５に固定する。
【００２０】
ここで、収納部３の背面ベース５への固定方法を例示する。図４から推測できるように、凸部６を構成する円柱の外周面に雄ネジのネジ山を設けて、帽子状の固定蓋５２をねじ込む方法を採用できる。このためには、固定蓋５２を構成する帽子のサイドクラウン部の内側にも凸部６の雄ネジのネジ山に対応する雌ネジの溝を備えておく。そして、凸部６の先端部と結合し、凸部６を背当面側から背面ベース５に固定する際には、固定蓋５２のサイドクラウン部を凸部６の先端部にねじ込むように回転させ固定する。図３のように収納部３が背面ベース５に固定された状態から収納部３を分離する際についても、固定（取付け）と逆の流れで、固定蓋５２を外す方向に回転させて脱離させ、挿通孔５４から凸部６を抜去し、収納部３を背面ベース５から分離させることができる。他の実施形態及び変形例において収納部又は背面ベースに凸部がある場合は、同様の機構を有する部材による同様の操作で、収納部を背面ベースに固定及び分離することができる。
【００２１】
又、収納部３の背面ベース５への別の固定方法として、ネジ山や溝を設けるのではなく、凸部６と固定蓋５２との間で生じる摩擦力により、両者を固定する方法が採用できる。単なる摩擦力ではなく凸部６の外周面に突部を円環状（Ｏリング状）に設け、この円環状の突部に適合する円環状の凹部を固定蓋５２の内径側に設け、弾性力で突部に凹部を嵌め込むようにしてもよい。更に別の固定方法として、凸部６と固定蓋５２が金属等、磁力により引き合う素材から構成され、磁力でもって固定する方法も採用できる。
【００２２】
図３及び４に示すように、背面ベース５の背当面に位置する背当てパット５３はクッション様の機能を有するものであるため、固定蓋５２の脱離の際には、挿通孔５４の周囲部分を指等で押すことで背当てパット５３が沈み、固定蓋５２に指等をかけることができる。それは、図３及び４に示すように、固定蓋５２のサイドクラウン部と挿通孔５４との間に隙間が無い場合であっても容易である。勿論、固定蓋５２のサイドクラウン部と挿通孔５４との間に１〜５ｍｍ程度の隙間を設け、固定蓋５２の脱離の際に指等をかけることをより容易にしてもよい。１〜５ｍｍ程度の隙間があることで、固定蓋５２の脱離の際に、固定蓋５２を指等で掴みやすくなり、より脱離しやすくすることができる。
【００２３】
又、固定蓋５２の円形のヘッド部分については、図３等に示すような平坦な形状ではなく、溝や凹凸が設けられた形状を採用することができる。固定蓋５２のヘッド部分に溝や凹凸が設けられている場合、固定蓋５２の脱着の際に指等をかけやすく、より脱着しやすくなる。例えば、固定蓋５２のキャップ状の外周より小さな径の溝を、ヘッド部分の中央に設ける等である。又、固定蓋５２のヘッド部分の縁がカットされた形状であり、固定蓋５２と挿通孔５４の境界で谷部を形成する等でもよい。いずれにしても、固定蓋５２のヘッド部分は、背嚢１の使用者の背中に直接接触する可能性がある部位のため、大きな突起等、使用者の背中に接触して不快感や違和感を生じさせるものでない方が好ましい。
【００２４】
凸部６の高さについては、凸部６を挿通孔５４へ挿入した際に、背当面の延長面から突出せずに挿通孔５４内に収まる程度の高さが好ましい。固定蓋５２についても、凸部６が挿通孔５４を貫通し、凸部６の先端部分に固定蓋５２が接続された際に、固定蓋５２が背当面の延長面から突出しないことが望ましい。図１においては背当面の位置には背当てパット５３が位置するが、図４の断面図にも示すように、背当てパット５３から固定蓋５２が飛び出ないことが望ましい。固定蓋５２が背当面の延長面から突出しないような構造として、図１７において第１実施形態のその他の変形例に係る背面ベース５ａで示すように、固定蓋５２のサイドクラウン部を挿通孔５４ａの内径に埋め込むための段差部を、背当てパット５３よりも深い位置において設けてもよい。
【００２５】
固定蓋５２の素材は、鉄等の耐食性の劣る金属の場合は、錆が発生する可能性があり、固定蓋５２が錆びた状態で使用した場合、使用者の衣服等が汚れる可能性がある。そのため、固定蓋５２の素材は錆びない素材でなければならず、強化プラスチック、ステンレス、チタン等を使用するのが好ましい。固定蓋５２と接続する凸部６についても同様である。
【００２６】
凸部６の上下方向の位置については、図１等に示すように、収納部３に内容物を収納した際の安定性の観点からは、第１主面の上半分の範囲に位置することが好ましい。例えば、収納部３に最大重量の物品を収納した際でも、収納部３のバランスがとれ、安定するような位置であることが好ましい。又、同じく安定性の観点から、凸部６の水平方向の位置については、第１主面の横幅の中央であることが好ましい。
【００２７】
図２に示すように、第１実施形態に係る背嚢１の背面ベース５は、矩形の台座３２を収納し、固定するための台座収納凹部５５を結合面に有する。図１及び２等においては、台座収納凹部５５は、台座３２の外形とほぼ同じ形状の矩形の凹部である。矩形の台座３２が矩形の台座収納凹部５５の内部空間に嵌合することにより、凸部６の周りの回転運動の発生を防止しつつ、収納部３と背面ベース５を結合させることができる。台座収納凹部５５の挿通孔５４の内径寸法を含む内側の寸法を、凸部６の外径寸法等の外側の寸法とほぼ同じ寸法とすることにより、図３及び４に示すように収納部３と背面ベース５とを結合して使用する際に、がたつきを無くすことができる。但し、収納部３と背面ベース５との脱着を容易にするため、台座収納凹部５５と台座３２の間には、１〜３ｍｍ程度の所定のクリアランスが設けられていることは勿論である。ここで、台座収納凹部５５は、使用者が背負いにくくなることを防ぐため、背当面まで貫通した孔ではなく、凹み部分である。したがって、図２（ｂ）に示すように、背当面方向から背面ベース５を見た場合、台座収納凹部５５は見えず、第１ショルダーストラップ５１ａ及び第２ショルダーストラップ５１ｂと背当てパット５３と、段差のある挿通孔５４のみが見える。
【００２８】
台座３２と台座収納凹部５５の形状については、正円以外であれば矩形以外であってもよい。例えば、台座３２を三角形、楕円形、星形等にすることができ、台座収納凹部５５も台座３２の形状に合わせた形状にすることができる。台座収納凹部５５に台座３２が嵌められた際に、台座３２のがたつきや回転が起こらなければよい。
【００２９】
台座３２の素材としては、耐食性の観点からはステンレス鋼、耐食性かつ軽量化の観点からはチタン又はチタン合金が好ましい。台座３２の素材として、鉄等の耐食性の劣る金属の場合は、錆が発生する可能性があるので好ましくない。又、台座３２とその中央の凸部６は一体成型で形成されてもよいし、別個の部材から構成されてもよい。別個の部材の場合は、凸部６の四隅に挿通孔を開孔し、ネジを貫通させて凸部６を台座３２に固定する方法がある。この場合、使用者の好みに合わせて、台座３２及び凸部６の素材や色などを自由に選べ、部品の選定を楽しめるようにするとよい。
【００３０】
図３に示すように収納部３と背面ベース５を結合した状態において、第１実施形態に係る背嚢１の使用者の両腕を通すための部材として、第１ショルダーストラップ５１ａ及び第２ショルダーストラップ５１ｂを備える。背面ベース５の素材は、背面ベース５自体を軽量にするため、ポリカーボネート素材、カーボンファイバー素材、アルミニウム、そしてチタン素材等を用いるのが好適である。又、背面ベース５は、使用の際の強度が保てるのであれば、空洞部を有する部材であってもよい。第１実施形態に係る背嚢１では、背嚢１を背負う際に、固定蓋５２が使用者の身体と直接当たり過ぎないように背面ベース５には背当てパット５３が設けられ、背面ベース５に弾力性（クッション性）のある厚みを持たせている。背当てパット５３の形状は、使用者の背中に合わせた凹凸のあるオーダーメイド形状にしてもよい。これにより、より個人の体形に合った背嚢１となり、身体に負担の少ないという効果を奏する。背当てパット５３の素材としては、表皮や内部の緩衝材は、汗が染み込んでも速やかに乾く、通気性に優れたポリエチレンが好適であり、使用の快適性を確保できるという効果を奏する。
【００３１】
又、第１ショルダーストラップ５１ａ及び第２ショルダーストラップ５１ｂの素材は、汗や雨等に濡れた場合を想定すると、吸湿性や速乾性のあるポリエチレンが好適である。又は、美観の面からは、合皮や皮革の使用も可能である。又、第１ショルダーストラップ５１ａ及び第２ショルダーストラップ５１ｂには、チェストストラップやウエストベルトを更に備えてもよい。これにより、第１ショルダーストラップ５１ａ及び第２ショルダーストラップ５１ｂの２本で背負う状態より安定性が増し、使用者の疲労を軽減できるという有利な効果を奏する。そして、収納部３と背面ベース５を固定蓋５２で固定した背嚢１を使用する際は、従来と同様に、第１ショルダーストラップ５１ａ及び第２ショルダーストラップ５１ｂに両腕を通して背負って用いる。
【００３２】
又、第１実施形態に係る背嚢１においては、ロッカー等のフック等に吊るすためのトップハンドル（持ち手）３１が背面ベース５の背カンに対応する位置に設けられている。トップハンドル３１は、背嚢１を背負わずに持ち運びする場合にも用いることができる。又、用途によっては、トップハンドル３１が配置されている図１に示す位置以外にもハンドルを配置しても良い。ハンドルの数を追加することによって背嚢１が持ち運びやすくなるという有利な効果を奏する。
【００３３】
図１の収納部３の側面の上部には、収納物を出し入れするためのファスナー３３の一部が図示されている。第１実施形態に係る背嚢１のファスナー３３は、収納部３の上部において、左右どちらかの側面から第２主面を通過し対向する側面まで移動して、収納部３の上部を開閉できるように構成されている。ファスナー３３によって分離される収納部３の上部は、ランドセルのかぶせ（蓋）に対応する。又、ファスナー３３の位置は用途によって、図１等に示す以外の場所に配置しても良い。更に、開口部を開閉するための部材はファスナー３３以外の部材でもよい。第１実施形態に係る背嚢１の収納部３は、雨や雪などから収納物を保護するため、ポリカーボネートや耐水性のある幌素材、カーボンファイバー、ポリエチレンなどが好適である。
【００３４】
又、収納部３の形状は、凸部６と背面ベース５の挿通孔５４の位置が対応しているのであれば、常識にとらわれず、様々な形に変形させてもよい。例えば、収納部３の形状が三角柱等でも可能であり、ファッション性や先進性を表現するという場合にも効果を奏する。
【００３５】
又、収納部３の内部の構造は、内部に任意の位置で上下の仕切りを設けても良いが、仕切りを設けずに収納スペースの範囲内で自由に収納物を収納する構成にしてもよい。更に面ファスナーと同様に、フック状に起毛された側（オス部）とループ状に密集して起毛された側（メス部）とを重畳部分で押し付け、押し付けただけで貼り付く構造を仕切り板の両端と収納部３の内部の両サイドに設けて、仕切り板の位置が自在に移動できるようにしてもよい。更に、収納部３の内部にクッション性の素材を使用し、縦方向に仕切ることで、薄型の電子機器、例えばタブレット型のPC等を安全に運搬できるような内部構造としても良い。
【００３６】
更に、台座３２の凸部と背面ベース５の挿通孔５４の位置が同じでさえあれば、収納部３を複数個用意し、複数個用意されたうちから任意のサイズの収納部を選択し、収納部３の大きさを自在に交換可能という有利な効果を奏する。例えば、収納部３を複数個用意することにより、図１に示した背嚢１を小学生のランドセルとして使用した場合、身体の大きさに合わせた収納部３や背面ベース５へ逐次交換することができ、成長に合わせて最適な大きさのランドセルとするように、所望の大きさの収納部３を選択できるようにすることができる。
【００３７】
第１実施形態に係る背嚢１において、収納部３や背面ベース５をそれぞれ複数個用意しておけば、収納部３と背面ベース５を分離することによって、収納部３や背面ベース５を、それぞれ複数個用意されたうちから任意の収納部や背面ベースと交換できるように組み合わせることができる。又、例えば、収納部３や背面ベース５をそれぞれ複数個用意しておけば、第１実施形態に係る背嚢１を背負ったまま、他人が収納部３を他の収納部に交換することも可能である。
【００３８】
以上のような構成にした結果、第１実施形態に係る背嚢１は、収納部３及び背面ベース５等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００３９】
《第１実施形態の第１変形例》
第１実施形態の第１変形例に係る背嚢１０００は、図５に示すように、箱状の収納部２と収納部２から着脱自在の背面ベース４を備える。収納部２は、互いに対向する第１及び第２主面、第１主面の連続した３辺と、この３辺に対向する第２主面の３辺を、それぞれ互いに接続する３側面を有する。背面ベース４は、収納部２との結合時に第１主面に対向する結合面及び結合面に対向する背当面を有する板状をなし、背当面の上部から下部にかけて架橋する一対のショルダーストラップ（５１ａ、５１ｂ）を有する。第１実施形態の第１変形例に係る背嚢１０００は、第１主面に凸部２３、結合面の凸部２３に対応する位置に、凸部２３に対応した構造の挿通孔４２が設けられ、凸部２３の挿通孔４２への貫通及び離脱により、収納部２と背面ベース４とが着脱自在である。
【００４０】
第１実施形態の第１変形例に係る背嚢１０００は、第１実施形態に係る背嚢１と各部材の結合の仕方や収納部２と背面ベース４の構造及び素材、使用方法等はほぼ同様であるが、図５に示すように、収納部２に備える凸部２３に台座がない点で、第１実施形態に係る背嚢１とは異なる。又、第１変形例に係る背嚢１０００においては、第１実施形態に係る背面ベース５に備えていた台座収納凹部５５もないので、背面ベース４の厚さは薄く設定できる。
【００４１】
図５に示すように、収納部２に設けられた凸部２３には、周囲にリング状のワッシャー２４が装着され、第１変形例に係る背嚢１０００を使用する際に、背面ベース４の挿通孔４２を凸部２３が挿通し、固定蓋４４で背面ベース４に固定される。そのため、図６のように固定後は、ワッシャー２４が間に挟まっているので、収納部２は凸部２３を軸として背面ベース４に対して自在に回転することができる。使用者が第１変形例に係る背嚢１０００を背負ったまま身体を傾けると、物品が入って重量が増した収納部２は回転し、収納部２の下部が鉛直下方に位置するように保たれる。その状態においては、ファスナー３３に手が届きやすく、又、収納部２の内部の物品が不用意に外に出てしまうことがないので、第１実施形態に係る背嚢１よりも、物品を収納部２から取り出す際に取り出しやすいという効果を奏する。
【００４２】
第１実施形態の第１変形例に係る背嚢１０００によれば、第１実施形態に係る背嚢１と同様、収納部２や背面ベース４をそれぞれ複数個用意しておけば、収納部２と背面ベース４を分離することによって、収納部２や背面ベース４を、それぞれ複数個用意されたうちから任意の収納部や背面ベースと交換できるように組み合わせることができる。又、例えば、収納部２や背面ベース４をそれぞれ複数個用意しておけば、第１実施形態の第１変形例に係る背嚢１０００を背負ったまま、他人が収納部２を他の収納部に交換することも可能である。第１実施形態の第１変形例に係る背嚢１０００は、第１実施形態に係る背嚢１と同様に、収納部２及び背面ベース４等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００４３】
《第１実施形態の第２変形例》
図７に示すように、第１実施形態の第２変形例に係る背嚢２０００は、箱状の収納部７と収納部７から着脱自在の背面ベース９を備える。収納部７は、互いに対向する第１及び第２主面、第１主面の連続した３辺と、この３辺に対向する第２主面の３辺を、それぞれ互いに接続する３側面を有する。背面ベース９は、収納部７との結合時に第１主面に対向する結合面及び結合面に対向する背当面を有する板状をなし、背当面の上部から下部にかけて架橋する一対のショルダーストラップ（５１ａ、５１ｂ）を有する。第１実施形態の第２変形例に係る背嚢２０００においては、第１主面に第１凸部７３ａ及び第２凸部７３ｂ、結合面の第１凸部７３ａ及び第２凸部７３ｂに対応する位置に、第１凸部７３ａ及び第２凸部７３ｂに対応した構造の第１挿通孔９３ａ及び第２挿通孔９３ｂがそれぞれ設けられている。第１実施形態の第２変形例に係る背嚢２０００においては、第１凸部７３ａ及び第２凸部７３ｂの第１挿通孔９３ａ及び第２挿通孔９３ｂへの貫通及び離脱により、収納部７と背面ベース９とが着脱自在である。更に、収納部７を背面ベース９に固定するための固定蓋である第１固定蓋９５ａ及び第２固定蓋９５ｂにより背嚢２０００が構成されている。
【００４４】
第１実施形態の第２変形例に係る背嚢２０００は、第１実施形態に係る背嚢１と各部材の結合の仕方や収納部７と背面ベース９の構造及び素材、使用方法等はほぼ同様であるが、凸部を接続する台座と台座が嵌め込まれる台座収納凹部を有しない点で、第１実施形態に係る背嚢１とは異なる。第１実施形態の第２変形例に係る背嚢２０００は台座収納凹部を有しないので、背面ベース９を薄く設定することができる。
【００４５】
又、第１実施形態の第２変形例に係る背嚢２０００は、図７及び８に示すように、収納部７と背面ベース９との固定箇所が２箇所ある点も、第１実施形態に係る背嚢１とは異なる。第２変形例に係る背嚢２０００には固定箇所が２箇所あるため、第２変形例に係る背嚢２０００は第１実施形態に係る背嚢１よりも移動する際の使用者由来の振動に耐えうる構造である。第１実施形態の第２変形例に係る背嚢２０００は、第１実施形態に係る背嚢１より、強固にしかも安定して収納部７を固定でき、持ち運びに安心感を得ることができるという有利な効果を奏する。
【００４６】
第１実施形態の第２変形例に係る背嚢２０００は、第１実施形態に係る背嚢１と同様、収納部７や背面ベース９をそれぞれ複数個用意しておけば、収納部７と背面ベース９を分離することによって、収納部７や背面ベース９を、それぞれ複数個用意されたうちから任意の収納部や背面ベースと交換できるように組み合わせることができる。又、例えば、収納部７や背面ベース９をそれぞれ複数個用意しておけば、第１実施形態の第２変形例に係る背嚢２０００を背負ったまま、他人が収納部７を他の収納部に交換することも可能である。第１実施形態の第２変形例に係る背嚢２０００は、第１実施形態に係る背嚢１と同様に、収納部７及び背面ベース９等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００４７】
《第１実施形態の第３変形例》
図９に示すように、第１実施形態の第３変形例に係る背嚢５００は、箱状の収納部１００と収納部１００から着脱自在の背面ベース３００を備える。収納部１００は、互いに対向する第１及び第２主面、第１主面の連続した３辺と、この３辺に対向する第２主面の３辺を、それぞれ互いに接続する３側面を有する。背面ベース３００は、収納部１００との結合時に第１主面に対向する結合面及び結合面に対向する背当面を有する板状をなし、背当面の上部から下部にかけて架橋する一対のショルダーストラップ（５１ａ、５１ｂ）を有する。第１実施形態の第３変形例に係る背嚢５００においては、第１主面に第１凸部１０２ａ、第２凸部１０２ｂ、第３凸部１０２ｃ及び第４凸部１０２ｄ、結合面の４つの凸部に対応する位置に、４つの凸部に対応した構造の第１挿通孔３０２ａ、第２挿通孔３０２ｂ、第３挿通孔３０２ｃ及び第４挿通孔３０２ｄがそれぞれ設けられている。第１実施形態の第３変形例に係る背嚢５００においては、第１凸部１０２ａ、第２凸部１０２ｂ、第３凸部１０２ｃ及び第４凸部１０２ｄの第１挿通孔３０２ａ、第２挿通孔３０２ｂ、第３挿通孔３０２ｃ及び第４挿通孔３０２ｄへの貫通及び離脱により、収納部１００と背面ベース３００とが着脱自在である。第１凸部１０２ａ、第２凸部１０２ｂ、第３凸部１０２ｃ及び第４凸部１０２ｄの各先端部分には、第１固定蓋３０３ａ、第２固定蓋３０３ｂ、第３固定蓋３０３ｃ及び第４固定蓋３０３ｄがそれぞれ設けられている。
【００４８】
第１実施形態の第３変形例に係る背嚢５００は、第１実施形態に係る背嚢１と各部材の結合の仕方や収納部１００と背面ベース３００の構造及び素材、使用方法等はほぼ同様である。しかし、第１実施形態の第３変形例に係る背嚢５００は、４つの凸部を接続する台座と台座が嵌め込まれる台座収納凹部を有しない点で、第１実施形態に係る背嚢１とは異なる。第１実施形態の第３変形例に係る背嚢５００は台座収納凹部を有しないので、背面ベース３００を薄く設定することができる。
【００４９】
又、第１実施形態の第３変形例に係る背嚢５００は、図９及び１０に示すように、収納部１００と背面ベース３００との固定箇所が４箇所ある点も、第１実施形態に係る背嚢１とは異なる。第３変形例に係る背嚢５００には固定箇所が４箇所あるため、第１実施形態に係る背嚢１よりも移動する際の使用者由来の振動に耐えうる構造である。第１実施形態の第３変形例に係る背嚢５００は、第１実施形態に係る背嚢１より、強固にしかも安定して収納部１００を固定でき、持ち運びに安心感を得ることができるという有利な効果を奏する。第１実施形態の第３変形例に係る背嚢５００は、第１実施形態の第２変形例に係る背嚢２０００よりも固定箇所が多いため、第１実施形態の第２変形例に係る背嚢２０００よりも強固にかつ安定して収納部１００を固定することができる。
【００５０】
第１実施形態の第３変形例に係る背嚢５００は、第１実施形態に係る背嚢１と同様、収納部１００や背面ベース３００をそれぞれ複数個用意しておけば、収納部１００と背面ベース３００を分離することによって、収納部１００や背面ベース３００を、それぞれ複数個用意されたうちから任意の収納部や背面ベースと交換できるように組み合わせることができる。又、例えば、収納部１００や背面ベース３００をそれぞれ複数個用意しておけば、第１実施形態の第３変形例に係る背嚢５００を背負ったまま、他人が収納部１００を他の収納部に交換することも可能である。第１実施形態の第３変形例に係る背嚢５００は、第１実施形態に係る背嚢１と同様に、収納部１００及び背面ベース３００等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００５１】
《第１実施形態の第４変形例》
図１１に示すように、第１実施形態の第４変形例に係る背嚢７００は、箱状の収納部２００と収納部２００から着脱自在の背面ベース４００を備える。収納部２００は、互いに対向する第１及び第２主面、第１主面の連続した３辺と、この３辺に対向する第２主面の３辺を、それぞれ互いに接続する３側面を有する。背面ベース４００は、収納部２００との結合時に第１主面に対向する結合面及び結合面に対向する背当面を有する板状をなし、背当面の上部から下部にかけて架橋する一対のショルダーストラップ（５１ａ、５１ｂ）を有する。図１１，１３および１９においては、図示の簡略化のため、一対のショルダーストラップ（５１ａ、５１ｂ）は省略している。第１実施形態の第４変形例に係る背嚢７００においては、第１主面に凸部（２０１、２０３）、結合面の凸部（２０１、２０３）に対応する位置に、凸部（２０１、２０３）に対応した構造の挿通孔４０２が設けられている。第１実施形態の第４変形例に係る背嚢７００においては、凸部（２０１、２０３）の挿通孔４０２への貫通及び離脱により、収納部２００と背面ベース４００とが着脱自在である。更に第１実施形態の第４変形例に係る背嚢７００は、挿通孔４０２を貫通した凸部（２０１、２０３）を覆う背当てパット蓋５３ａを備える。
【００５２】
第１実施形態の第４変形例に係る背嚢７００は、第１実施形態に係る背嚢１と比較して、凸部（２０１、２０３）と挿通孔４０２の構造、それらの構造に由来した収納部２００と背面ベース４００との固定様式が異なる。又、第１実施形態の第４変形例に係る背嚢７００は、挿通孔４０２を貫通した凸部（２０１、２０３）を背当面側から覆う背当てパット蓋５３ａを備える点も、第１実施形態に係る背嚢１とは異なる。それらの相違点以外の第１実施形態の第４変形例に係る背嚢７００の他の部材や部材どうしの接続の仕方、背嚢７００の使用方法等は、第１実施形態に係る背嚢１と同様である。
【００５３】
第１実施形態の第４変形例に係る背嚢７００においては、図１１及び１３等に示すように、凸部（２０１、２０３）が挿通孔４０２を貫通し、凸部（２０１、２０３）の先端部である固定ハンドル２０３により、収納部２００が背面ベース４００へ固定される仕組みである。第４変形例に係る背嚢７００においては、固定手段である固定ハンドル２０３による固定を解除し、凸部（２０１、２０３）を挿通孔４０２から抜去すると収納部２００と背面ベース４００が分離される。収納部２００は、上部にファスナー３３及びトップハンドル３１、第１主面に台座２０２、台座２０２上に凸部（２０１、２０３）、凸部（２０１、２０３）の先端に固定ハンドル２０３を備える。
【００５４】
図１１及び１８に示すように、凸部（２０１、２０３）の先端部である固定ハンドル２０３は、ハンドル軸２０１を回転中心として、凸部（２０１、２０３）が設けられた第１主面と平行な回転面において回転自在な部材である。収納部２００と背面ベース４００を結合するには、固定ハンドル２０３を挿通孔４０２に通過させた後、例えば図１３に示すように、ハンドル軸２０１を回転中心として、第１主面と平行な回転面において左右どちらかに９０度程度回転させ、収納部２００を背面ベース４００に固定する。固定ハンドル２０３の回転角度は、０度及び１８０度以外であればいずれであっても固定可能である。ここで、固定ハンドル２０３の回転角度が「０度」とは、固定ハンドル２０３を縦長の挿通孔４０２に通過させた後に、固定ハンドル２０３を回転させない状態のことを指し、この状態においては挿通孔４０２を通して固定ハンドル２０３は抜去自在である。この「０度」の状態を基準として、回転させた際の固定ハンドル２０３の回転角度が定められる。固定する際の固定ハンドル２０３の回転角度は、固定の安定性の面からは、４５〜１３５度の範囲が好ましい。図１３に示すように、収納部２００を背面ベース４００に固定した後、使用者が背負った際に背中に違和感を生じさせないように、背当てパット蓋５３ａで固定ハンドル２０３と周辺を覆う。ここで、背当てパット蓋５３ａを背面ベース４００に貼り付ける方法として、例えば、背当てパット蓋５３ａの四隅にネジを通す小孔を開孔し、小孔を通したネジによって背面ベース４００の背当面に固定する方法を採用できる。又、面ファスナーによる固定や磁力による固定の方法等も採用することができる。
【００５５】
第４変形例に係る背嚢７００においては、固定蓋がないことによって、固定の際に蓋を閉めるという動作が省略される。第４変形例に係る背嚢７００は固定蓋がなくとも、固定ハンドル２０３を回転させるだけで、収納部２００を背面ベース４００に固定することが可能である。第４変形例に係る背嚢７００においては、背嚢の収納部２００又は背面ベース４００を交換する際の着脱動作が、第１実施形態及び第１実施形態の第１変形例〜第３変形例よりも非常に容易となるという点で有利な効果を奏することができる。第４変形例に係る背嚢７００においては、固定ハンドル２０３がハンドル軸２０１に固定されているため、固定手段である固定ハンドル２０３を紛失する心配もない。
【００５６】
背当てパット蓋５３ａを背当てパット５３に貼り付けた状態において、使用者の快適な使用感を維持するには、背当面は平面に近い方が好ましい。即ち、図１１等に示すように、背当てパット５３には元から背当てパット蓋５３ａを収納するための浅めの凹部４０６が設けられていることが好ましい。背当てパット蓋５３ａは背当てパット５３と同一素材であることが好ましいが、同一素材でなくてもよい。
【００５７】
第１実施形態の第４変形例に係る背嚢７００においては、第１実施形態に係る背嚢１と同様、収納部２００や背面ベース４００をそれぞれ複数個用意しておけば、収納部２００と背面ベース４００を分離することによって、収納部２００や背面ベース４００を、それぞれ複数個用意されたうちから任意の収納部や背面ベースと交換できるように組み合わせることができる。又、例えば、収納部２００や背面ベース４００をそれぞれ複数個用意しておけば、第１実施形態の第４変形例に係る背嚢７００を背負ったまま、他人が収納部２００を他の収納部に交換することも可能である。第１実施形態の第４変形例に係る背嚢７００は、第１実施形態に係る背嚢１と同様に、収納部２００及び背面ベース４００等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００５８】
（第２実施形態）
図１４に示すように、本発明の第２実施形態に係る背嚢１１００は、箱状の収納部１０と収納部１０から着脱自在の背面ベース１１を備える。収納部１０は、互いに対向する第１及び第２主面、第１主面の連続した３辺と、この３辺に対向する第２主面の３辺を、それぞれ互いに接続する３側面を有する。背面ベース１１は、収納部１０との結合時に第１主面に対向する結合面及び結合面に対向する背当面を有する板状をなし、背当面の上部から下部にかけて架橋する一対のショルダーストラップ（５１ａ、５１ｂ）を有する。第２実施形態に係る背嚢１１００においては、結合面に凸部１１ａ、第１主面の凸部１１ａに対応する位置に、凸部１１ａに対応した構造の挿通孔１０ｂが設けられている。第２実施形態に係る背嚢１１００においては、凸部１１ａの挿通孔１０ｂへの貫通及び離脱により、収納部１０と背面ベース１１とが着脱自在である。
【００５９】
第２実施形態に係る背嚢１１００が第１実施形態に係る背嚢１と異なる点は、凸部とそれを貫通させる挿通孔の位置である。即ち、第２実施形態に係る背嚢１１００において、凸部１１ａは結合面に設けられ、挿通孔（第１の挿通孔）１０ｂは第１主面に設けられ、第１実施形態に係る背嚢１の場合と逆の構造である。凸部１１ａの先端部分には、凸部１１ａを収納部１０に固定する「固定手段（第１の固定手段）」としての固定蓋（第１の固定蓋）１０ａが、凸部１１ａに脱着自在に設けられている。固定蓋１０ａは挿通孔１０ｂよりも大きな外形を有し、挿通孔１０ｂを通過できない。固定蓋１０ａは凸部１１ａと結合して、凸部１１ａを収納部１０の内部から収納部１０に固定する。固定蓋１０ａは、収納部１０へ物品を出し入れする都合上、凸部１１ａと結合した際に収納部１０の内部に突出し過ぎない方が好ましい。
【００６０】
第２実施形態に係る背嚢１１００においては、収納部１０に雨水等が入らないように、ゴムパッキンやそれに代わる素材のものを固定蓋１０ａと第１主面との間に挟んで固定しても良い。これにより、防水性を高める効果を奏する。
【００６１】
収納部１０の背面ベース１１への固定方法は、第１実施形態に係る背嚢１と同様の機構を有する部材により同様の操作で行うことができる。凸部とそれを貫通させる挿通孔の位置の相違点以外の第２実施形態に係る背嚢１１００の他の部材や部材どうしの接続の仕方、背嚢１１００の使用方法等は、第１実施形態に係る背嚢１と同様である。
【００６２】
第２実施形態に係る背嚢１１００は、第１実施形態に係る背嚢１と同様、収納部１０や背面ベース１１をそれぞれ複数個用意しておけば、収納部１０と背面ベース１１を分離することによって、収納部１０や背面ベース１１を、それぞれ複数個用意されたうちから任意の収納部や背面ベースと交換できるように組み合わせることができる。又、例えば、収納部１０や背面ベース１１をそれぞれ複数個用意しておけば、第２実施形態に係る背嚢１１００を背負ったまま、他人が収納部１０を他の収納部に交換することも可能である。第２実施形態に係る背嚢１１００は、第１実施形態に係る背嚢１と同様に、収納部１０及び背面ベース１１等の組み合わせにおいて多様性を有し、色や形の選択の自由度が飛躍的に拡大する。組み合わせの多様性を有することで、望みの外観の背嚢を所有したくなった際に、収納部又は背面ベースのいずれかを新たに準備（購入）するだけでよい場合があり、使用者にとって大変経済的である。
【００６３】
第２実施形態に係る背嚢１１００によれば、固定蓋１０ａが収納部１０の内部にあるので、第１実施形態に係る背嚢１よりも、使用者が背負ったままの状態において、他人が収納部１０の交換作業をしやすい。更に、図１５に示すように収納部１０を背面ベース１１に固定した状態において、背当面を構成する背当てパット５３には固定手段等による凹凸が生じないため、使用者の使用の快適さをより高い状態とすることができる。
【００６４】
（その他の実施形態）
上記のように、本発明は、第１実施形態及び第１実施形態の第１〜第４変形例と第２実施形態等によって記載したが、この開示の一部をなす論述及び図面は本発明を限定するものであると理解すべきではない。この開示から当業者には様々な代替実施の形態、実施例及び運用技術が明らかとなろう。
【００６５】
例えば、第１実施形態に係る背嚢１には、後方からの視認性や交通事故などからの安全確保を考えると、ＬＥＤ照明パネル等を収納部３の全面又は一部に設置してもよい。それによって、昼夜間の安全性を格段に向上させることが出来る。したがって、幼児や小学生用の背嚢やランドセル等に用いても効果を奏する。
【００６６】
又、例えば、図１等において第１実施形態に係る背嚢１の凸部６は断面が正円の円柱状であるが、断面が楕円形の円柱状であってもよいし、その他の形状であってもよい。凸部６が断面が正円の円柱状でない場合は、凸部６を挿通孔５４へ貫通させるだけで、背面ベース５に対する収納部３の回転運動を抑制することが可能である。この場合、回転運動防止のための図１等に示すような台座３２や台座収納凹部５５は不要となる。
【００６７】
更なる運用技術として、第１実施形態に係る背嚢１等は、医療従事者等のための防護服内への送風装置を搭載した背嚢としても用いることができる。第１実施形態に係る背嚢１の背面ベース５は、結合面から背当面まで貫通する第１送風ダクトを更に備え、第１送風ダクトが防護服側の対応する孔（取入口）と接続できるようにする。背面ベース５と接続する収納部３は、送風装置を動作させるためのバッテリー（リチウムイオン電池等）と、防護服内部へ送風する送風ファンと、背面ベース５への風の通り道となる第２送風ダクトを備える。第１送風ダクトと第２送風ダクトは互いに接続する。第１送風ダクトは背面ベース５の挿通孔５４を利用してもよいし、挿通孔５４とは別に設けてもよい。挿通孔５４を利用して第１送風ダクトを設ける場合は、固定蓋５２の代わりに孔の開けられた固定手段を用い、その固定手段の孔を通して防護服内部へ送風するようにしてもよい。又、挿通孔５４を利用して第１送風ダクトを設ける場合は、第２送風ダクトは収納部３の凸部６を利用することとなる。凸部６には孔が設けられ、その孔は台座３２及び収納部３の第１主面を貫通し、少なくとも収納部３内部に通じる。送風ファンは収納部３の内部に設けられていてもよいし、第２主面側又は他の側面に設けられていてもよい。第１送風ダクトが背面ベース５の挿通孔５４を利用しない場合は、第２送風ダクトは第１送風ダクトの対応する位置に設けられることとなる。背嚢１の外部から収納部３に空気を吸い込む部分には、ウイルスの侵入を遮断する機能を有するフィルターが設けられる。防護服においては、第１送風ダクトと結合し、送風された風を防護服内部に通すためのフィルター付きの取入口が背面側に設けられ、防護服内部の空気を外部に追い出すためのフィルター付きの排出口が後頭部側等に設けられることを想定している。頭部を覆わないタイプの防護服の場合は、例えば膝裏や足元付近等に排出口を設けてもよい。排出口の数や設置位置は問わないものである。取入口よりも排出口の方の径や面積を大きく設定することで、防護服内部の空気をより逃がしやすくすることができる。第１及び第２送風ダクト、防護服の取入口及び排出口には、空気の逆流を防止すべく、逆止弁等の弁が設けられていることが好ましい。
【００６８】
送風装置を搭載した背嚢１を使用する際には、まず、クリーンルーム等のウイルス感染のおそれのない場所において、背嚢１を使用する医療従事者が防護服を着用した後、背面ベース５を背負い、背面ベース５の第１送風ダクトと防護服側の取入口とを接続する。次に、収納部３を背面ベース５に接続する。そして送風装置の電源を入れ、送風ファンを起動すると、防護服内部へ送風される仕組みである。防護服内部では取り入れられた風が拡散し、防護服の排出口により、内部の空気が外部に逃がされる。送風装置を使用せずに防護服を使用したい場合は、収納部３を背面ベース５から脱離させることで、送風装置の重量から解放される。送風装置を使用せずに防護服を使用する場合であって、背面ベース５の第１送風ダクトに逆止弁等の弁が設けられている場合は、背面ベース５は背負ったままで作業を行ってもよい。ウイルス等の感染拡大防止の観点から、使用の全体を通して、背面ベース５は特定の使用者専用とすべきである。又、同じくウイルス等の感染拡大防止の観点から、送風装置を使用せずに防護服を使用する場合、背面ベース５を背負ったままの方が好ましい。背面ベース５を背負ったままとすることで、再び送風装置を使用する場面において、送風ファンを搭載した収納部３の装着を直ちに行えるという利点も生じる。図１等に示す通り、背面ベース５自体は薄型で比較的軽量であるため、使用者の作業の妨げになることはほとんどない。
【００６９】
送風装置を搭載した背嚢１により、背嚢１を接続した防護服内部の温度及び湿度の上昇を抑制することができ、使用者本人に対するウイルス等の感染予防をしながらも、防護服の使用の快適性を保つことができる。特に、夏季の屋内外での防護服の使用の際に、送風装置を搭載した背嚢１は有効である。送風装置を搭載した背嚢１においては、使用者から最も近く、かつ、使用者の接触が最も多い背面ベース５を、特定の使用者専用とすることができ、特に他の者へのウイルス感染拡大の可能性をも大きく低減することができる。送風装置を搭載した背嚢１においては、送風ファン側のフィルターの交換等のため、送風ファンを搭載した収納部３を交換するだけで、他の者へのウイルス感染拡大を予防しながらも、直ちに防護服内部への送風を再開できる利点がある。送風装置を搭載した背嚢１においては、収納部３は物品収納にも用いることができ、例えば除染・消毒用品や予備のフィルター等を収納しておくことが可能である。勿論、送風装置は第１実施形態に係る背嚢１のみならず、他の実施形態や変形例の背嚢においても応用することができる。
【００７０】
更に、第１実施形態及び第１実施形態の第１〜第４変形例と第２実施形態等で説明したそれぞれの技術的思想を互いに組み合わせることも可能である。例えば、第２実施形態では、１つの凸部及び挿通孔で結合しているが、凸部及び挿通孔の数を第１実施形態の変形例と同様に複数にしても良い。収納部と背面ベースとの結合部を４隅に備えることで、より固定力と支持力が強まる。このように、本発明はここでは記載していない様々な実施形態等を含むことはもちろんである。したがって、本発明の技術的範囲は上記の説明から妥当な特許請求の範囲に係る発明特定事項によってのみ定められるものである。
【符号の説明】
【００７１】
１、５００、７００、１０００、１１００、２０００・・・背嚢
２、３、７、１０、１００、２００・・・収納部
３１・・・トップハンドル
３２、２０２・・・台座
３３・・・ファスナー
４、５、５ａ、９、１１、３００、４００・・・背面ベース
５１ａ・・・第１ショルダーストラップ
５１ｂ・・・第２ショルダーストラップ
１０ａ、４４、５２、９５ａ、９５ｂ、３０３ａ〜３０３ｄ・・・固定蓋
５３・・・背当てパット
５３ａ・・・背当てパット蓋
１０ｂ、４２、５４、５４ａ、９３ａ、９３ｂ、３０２ａ〜３０２ｄ、４０２・・・挿通孔
５５、４０４・・・台座収納凹部
５６ａ、５６ｂ・・・肩ベルト
５７ａ、５７ｂ・・・下ベルト
５８ａ、５８ｂ・・・留め具
６、１１ａ、２３、７３ａ、７３ｂ、１０２ａ〜１０２ｄ・・・凸部
２４・・・ワッシャー
２０１・・・ハンドル軸
２０３・・・固定ハンドル
４０６・・・凹部
【要約】
【課題】
用途や好みに合わせて希望の色や形、大きさの収納部へ容易に交換可能な背嚢及び背嚢セットを提供する。
【解決手段】
背嚢１は、互いに対向する第１及び第２主面、第１主面の連続した３辺と対向する第２主面の３辺を、それぞれ互いに接続する３側面を有する箱状の収納部３と、収納部３から着脱自在の背面ベース５であって、収納部３との結合時に第１主面に対向する結合面及び結合面に対向する背当面を有する板状をなし、背当面の上部から下部にかけて架橋する一対のショルダーストラップ（５１ａ、５１ｂ）を有する背面ベース５とを備え、第１主面及び結合面の一方に凸部６、他方の凸部６に対応する位置に、凸部６に対応した構造の挿通孔５４が設けられ、凸部６の挿通孔５４への貫通及び離脱により、収納部３と背面ベース５とが着脱自在である。【図１】
0006858436.tif 000002
【図２】
0006858436.tif 000003
【図３】
0006858436.tif 000004
【図４】
0006858436.tif 000005
【図５】
0006858436.tif 000006
【図６】
0006858436.tif 000007
【図７】
0006858436.tif 000008
【図８】
0006858436.tif 000009
【図９】
0006858436.tif 000010
【図１０】
0006858436.tif 000011
【図１１】
0006858436.tif 000012
【図１２】
0006858436.tif 000013
【図１３】
0006858436.tif 000014
【図１４】
0006858436.tif 000015
【図１５】
0006858436.tif 000016
【図１６】
0006858436.tif 000017
【図１７】
0006858436.tif 000018
【図１８】
0006858436.tif 000019
【図１９】
0006858436.tif 000020